(57)【要約】【課題】電子情報装置のセキュリティー性を向上させるとともに利便性の良い電子情報装置及びその制御方法を提供する。【解決手段】少なくとも一部の機能を規制するダイヤルロック処理を実施可能な携帯電話機の制御方法において、ダイヤルロック処理を開始する際にダイヤルロック解除用の暗証コードを生成する工程と、前記生成された暗証コードを出力する工程と、を有する。【選択図】図３
2009159349.tif 000002
【特許請求の範囲】
【請求項１】
少なくとも一部の機能を規制する機能規制処理を実施可能な電子情報装置の制御方法において、
前記機能規制処理を開始する際に機能規制解除用の暗証コードを生成する工程と、
前記生成された暗証コードを出力する工程と、を有することを特徴とする電子情報装置の制御方法。
【請求項２】
前記暗証コードを生成する工程では、複数の数字や記号をランダムに選択して前記暗証コードを生成することを特徴とする請求項１記載の電子情報装置の制御方法。
【請求項３】
前記暗証コードを生成する工程では、ユーザによって予め設定された複数の暗証コードのうちの一つをランダムに選択することを特徴とする請求項１記載の電子情報装置の制御方法。
【請求項４】
少なくとも一部の機能を規制する機能規制処理を実施可能な電子情報装置において、
前記機能規制処理を開始する際に機能規制解除用の暗証コードを生成する暗証コード生成手段と、
前記生成された暗証コードを出力する出力手段と、を有することを特徴とする電子情報装置。
【請求項５】
少なくとも二つの連結された本体部材からなる電子情報装置本体と、
前記電子情報装置本体の第１状態及び第２状態を検出する第１検出部とを備え、
前記第１検出部からの出力に基づいて前記機能規制処理を開始することを特徴とする請求項４記載の電子情報装置。
【請求項６】
電子情報装置本体に加えられた振動を検出する第２検出部を備え、
前記第２検出部からの出力に基づいて前記機能規制処理を開始することを特徴とする請求項４記載の電子情報装置。
【請求項７】
ユーザが入力操作を行うための入力操作部を備え、
前記入力操作部における所定の入力操作を認識すると、前記機能規制処理を開始することを特徴とする請求項４記載の電子情報装置。
【請求項８】
前記出力手段は、前記生成された暗証コードを表示する表示部、あるいは前記生成された暗証コードを発音する発音部であることを特徴とする請求項４乃至７のいずれか一項に記載の電子情報装置。
【請求項９】
前記出力手段は、電子メール送信部であって、
前記生成された暗証コードを、予め設定されたメールアドレスに送信することを特徴とする請求項４乃至８のいずれか一項に記載の電子情報装置。
【請求項１０】
前記生成された暗証コードを記憶する記憶部と、外部との通信を行う通信部とを備え、
前記通信部を介して前記暗証コードの問い合わせを受信するとともに、前記通信部を介して前記記憶部に記憶されている前記暗証コードを出力することを特徴とする請求項４乃至９のいずれか一項に記載の電子情報装置。
【発明の詳細な説明】
【技術分野】
【０００１】
本発明は、電子情報装置及びその制御方法に関するものである。
【背景技術】
【０００２】
近年、携帯電話機のような電子情報装置は、その性能の向上から、大容量の電話番号登録機能、電子メール送受信機能など高機能化が急速に進んでいる。しかしながら、この高機能化に伴って、携帯電話機のメモリには、個人の名前や電話番号、電子メールアドレスといったプライバシーを含んだ個人情報が大量に保存されるようになっている。これら大量の個人情報が第三者によって不正に使用されることはプライバシーの問題にもなり、第三者による不正を防止する手段が必要となっている。
【０００３】
このような所有者以外の第三者による不正使用を防ぐ手段として、従来の携帯電話機にはダイヤルロック機能が搭載されている。従来のダイヤルロック機能は、携帯電話機の開閉検出後に、予め記憶された設定情報に基づいてダイヤルロックを行う機能を有し、さらに、タイマーや計時機能を利用してダイヤルロックする時間及びその時間帯を設定する機能を有している（例えば、特許文献１参照）。
【特許文献１】特開２００４−３４３６７７号公報
【発明の開示】
【発明が解決しようとする課題】
【０００４】
上記したようなダイヤルロック機能を解除する場合には、ユーザによって予め設定された暗証コードをキー操作によって入力する必要がある。しかし、毎回同じ暗証コードを使用していると第三者によって見破られて不正使用される可能性が高い。セキュリティー性を維持するためには暗証コードを適宜変更する必要があるが、暗証コードの設定変更に伴う操作をその都度行わなければならないため面倒である。また、頻繁に暗証コードを変更すれば、ユーザが変更した暗証コードを忘れてしまう確率も高まる。
また、設定のわずらわしさから暗証コードを殆ど変更しないで使用しているユーザも多い。
【０００５】
本発明は、上記従来技術の問題点に鑑み成されたものであって、電子情報装置のセキュリティー性を向上させるとともに利便性の良い電子情報装置及びその制御方法を提供することを目的としている。
【課題を解決するための手段】
【０００６】
本発明に係る電子情報装置の制御方法は、上記課題を解決するために、少なくとも一部の機能を規制する機能規制処理を実施可能な電子情報装置の制御方法において、前記機能規制処理を開始する際に機能規制解除用の暗証コードを生成する工程と、前記生成された暗証コードを出力する工程と、を有することを特徴とする。
【０００７】
また、本発明においては、前記暗証コードを生成する工程では、複数の数字や記号をランダムに選択して前記暗証コードを生成することが好ましい。
【０００８】
また、本発明においては、前記暗証コードを生成する工程では、ユーザによって予め設定された複数の暗証コードのうちの一つをランダムに選択することが好ましい。
【０００９】
本発明の電子情報装置の制御方法は、上記課題を解決するために、少なくとも一部の機能を規制する機能規制処理を実施可能な電子情報装置において、前記機能規制処理を開始する際に機能規制解除用の暗証コードを生成する暗証コード生成手段と、前記生成された暗証コードを出力する出力手段と、を有することを特徴とする。
【００１０】
また、本発明においては、少なくとも二つの連結された本体部材からなる電子情報装置本体と、前記電子情報装置本体の第１状態及び第２状態を検出する第１検出部とを備え、前記第１検出部からの出力に基づいて前記機能規制処理を開始することが好ましい。
【００１１】
また、本発明においては、電子情報装置本体に加えられた振動を検出する第２検出部を備え、
前記第２検出部からの出力に基づいて前記機能規制処理を開始することが好ましい。
【００１２】
また、本発明においては、ユーザが入力操作を行うための入力操作部を備え、前記入力操作部における所定の入力操作を認識すると、前記機能規制処理を開始することが好ましい。
【００１３】
また、本発明においては、前記出力手段は、前記生成された暗証コードを表示する表示部、あるいは前記生成された暗証コードを発音する発音部であることが好ましい。
【００１４】
また、本発明においては、前記出力手段は、電子メール送信部であって、前記生成された暗証コードを、予め設定されたメールアドレスに送信することが好ましい。
【００１５】
また、本発明においては、前記生成された暗証コードを記憶する記憶部と、外部との通信を行う通信部とを備え、前記通信部を介して前記暗証コードの問い合わせを受信するとともに、前記通信部を介して前記記憶部に記憶されている前記暗証コードを出力することが好ましい。
【発明の効果】
【００１６】
本発明によれば、機能規制処理を実施する度に、機能規制解除用の暗証コードを容易に異ならせることができるため、第三者に知られる可能性が低くなりセキュリティー性が向上する。暗証コードは、機能規制処理が実施される度に毎回自動的に生成されるか、事前に設定しておいた複数の暗証コードのうちの一つが任意に選択されるようになっているため、暗証コードを変更するためのわずらわしい入力操作が不要となる。また、生成された暗証コードを表示部に表示したり、発音部によって暗証コードを発音させたりすることで、ユーザは毎回異なる暗証コードを確実に認識することができる。
【００１７】
さらに、本発明では、生成された暗証コードを、予め設定されたメールアドレスに電子メールで送信することができるので、ユーザが暗証コードを忘れてしまった場合でも、その電子メールを確認すれば暗証コードを知ることができる。また、ユーザが、電子メールが送信された装置の傍にいないなどの理由から直ぐに電子メールを確認することができない場合には、通信機能を有する別の装置から本発明の電子情報装置に対して暗証コードの問い合わせを行うこともできる。
よって、セキュリティー性が高く第三者による不正使用が防止されるとともに利便性の良い電子情報装置を提供することができる。
【発明を実施するための最良の形態】
【００１８】
以下、本発明の実施形態につき、図面を参照して説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００１９】
［第１実施形態］
図１は、本実施形態における携帯電話機の全体構成を説明する図であって、（ａ）は携帯電話機の利用時の状態（開状態）を示す斜視図、（ｂ）は収納時の状態（閉状態）を示す斜視図である。
携帯電話機１００（電子情報装置）は、キー入力部５（入力操作部）を一面に有する第１の筐体１（本体部材）と、画面表示部９を一面に有する第２の筐体２（本体部材）とがヒンジ３を介して結合された携帯電話機本体１００Ａ（電子情報装置本体）を有し、画面表示部９とキー入力部５（入力操作部）とが対向して互いの筐体１，２が重ね合わさる状態で折畳み収納される。また、図１（ａ）に示すように開いた形で通常の使用がなされる。
【００２０】
ヒンジ３は、第２の筐体２の内面（第１の筐体１との重ね合わせ面）に突設された膨出部７が、第１の筐体１の端部に形成された一対の軸受部８の間に介装され、両軸受部８と膨出部７に跨る図示しないヒンジピンによって第１の筐体１と第２の筐体２とを回動自在に連結するようになっている。つまり、図１（ａ）に示すように第１の筐体１と第２の筐体２とのなす角が１８０度に近い状態で操作状態（開状態：第１状態）とされ、図１（ｂ）に示すように第１の筐体１と第２の筐体２とのなす角が略０度で折り畳み状態（閉状態：第２状態）とされる。なお、開状態時における第１の筐体１と第２の筐体２とのなす角はこれに限ったものではない。
【００２１】
図１（ａ）に示すように、第１の筐体１の内面（第２の筐体２との重ね合わせ面）には、ヒンジ３と逆側の端部の近傍に送話用のマイクロフォン６が設けられている。そして、キー入力部５は、通話キー、終話キー、数字キー等の押圧操作可能な複数の操作キー４を備えている。
【００２２】
第２の筐体２の内面（第１の筐体１との重ね合わせ面）には、ヒンジ３と逆側の端部の近傍に、受話用のスピーカー１０が設けられている。また、図１（ｂ）に示すように、第２の筐体２の外面、すなわち携帯電話機１００を閉じた状態で外側に露出する面には、サブ表示部１１が備えられている。該サブ表示部１１には、現在時刻、日付などが表示され、更に本実施形態では、後述するダイヤルロック状態あるいはロック解除状態なども表示される。
【００２３】
図２は本実施形態に係る携帯電話機の概略構成を示すブロック図である。なお、図２においては、図１に示した部材に相当するものは同一の符号を付してある。
図２に示すように、本実施形態の携帯電話機１００は、キー入力部５、アンテナ１２、振動部１９、メモリ２０、設定記憶部２０Ａ（記憶部）、無線送受信部２１（通信部）、信号処理部２２、発音部２３（出力手段）、開閉検出センサ２４（第１検出部）、電子メール送信部２５（出力手段）、表示部２６（出力手段）、本体制御部２７、キーロック制御部２７Ａ、及び暗証コード生成部２７Ｂ（暗証コード生成手段）を備えている。
【００２４】
本体制御部２７は、図１に示す携帯電話機１００の各部を制御することにより携帯電話機１００の各種機能設定などの主動作を制御する機能を有し、呼び出し機能を含む他装置との送受信を行う無線送受信部２１、着信応答時の音声情報の処理を行う信号処理部２２、これらの主動作を入力指示するキー入力部５、各種制御プログラムを記憶するメモリ２０、図１に示した液晶画面からなる画面表示部９及びサブ表示部１１を備える表示部２６、着信音やアラーム音などを発音する発音部２３、携帯電話機本体１００Ａの開閉状態を検出する開閉検出センサ２４、及び他の装置へ電子メールを送信する電子メール送信部２５が接続されている。
【００２５】
開閉検出センサ２４は、携帯電話機１００の開閉状態を検出するもので、第１の筐体１と第２の筐体２とが開状態（図１（ａ））なのかあるいは閉状態（図１（ｂ））なのかを検出する。開閉検出センサ２４としては、各種の形式のものが採用可能であり、例えば、開状態あるいは閉状態をそれぞれ検出する一対のスイッチ（押圧スイッチ、光学スイッチ、磁気センサなど）や可変抵抗により、第１の筐体１と第２の筐体２との開閉状態を検出するものなどがある。この開閉検出センサ２４は、ヒンジ３の近傍や、第１の筐体１あるいは第２の筐体２の互いに対向する面側に設けるか、その他の部分に設けることも可能である。
【００２６】
本体制御部２７は、図１に示す携帯電話機１００の各部を制御することにより携帯電話機１００の動作を統括的に制御するもので、携帯電話機１００の機能の一部を規制する機能（ダイヤルロック機能）を有するキーロック制御部２７Ａと、ダイヤルロックを解除するための暗証コードを生成する暗証コード生成部２７Ｂとを備えている。
【００２７】
キーロック制御部２７Ａは、開閉センサ２４からの出力に応じて携帯電話機本体１００Ａの開閉状態を検知する。本実施形態においては、携帯電話機本体１００Ａの閉状態が検出された場合にダイヤルロック処理を実行するようになっている。また、キーロック制御部２７Ａは、ダイヤルロック中の場合に所定の機能、例えば着信以外の動作を禁止するとともに、ユーザによるキー入力部５の操作において少なくともダイヤルロック解除用の暗証コード以外の入力を無効とする。
【００２８】
暗証コード生成部２７Ｂは、ダイヤルロック解除用の暗証コードを生成する機能を有しており、キーロック制御部２７Ａによる制御の下、数桁の文字列からなる暗証コードを生成する。暗証コードは、ランダムに選択された複数の数字や記号から構成され、その全てが数字あるいは記号のみの羅列であってもよいし、数字と記号を組み合わせたものであってもよい。暗証コードの桁数は適宜設定され、例えば二桁以上であることが好ましい。桁数が多いほどセキュリティー性は高まるが、ユーザが暗証コードを記憶する際に負担とならない桁数であることがより好ましい。
【００２９】
メモリ２０は、本体制御部２７で実行される各種制御プログラムを記憶しているとともに、本体制御部２７で用いられる各種制御情報を一時的に記憶する。また、本実施形態におけるメモリ２０は、キーロック制御部２７Ａや暗証コード生成部２７Ｂで用いられる制御情報を記憶する設定記憶部２０Ａを含んでいる。この設定記憶部２０Ａは、例えば、携帯電話機本体１００Ａの閉状態を検出してからダイヤルロックを実行するまでの時間やダイヤルロック時に規制する機能（アプリケーション）情報、及び暗証コード生成部２７Ｂによって生成された暗証コードなどを記憶している。
【００３０】
キー入力部５は、図１に示す操作キー４を備えており、ユーザによる操作キー４の操作内容を操作信号として本体制御部２７に出力する。
【００３１】
表示部２６は、図１に示す画面表示部９及びサブ表示部１１を備えており、本体制御部２７から入力される表示制御信号に基づいて、各種メッセージ、電話番号、画像等の表示を行う。また、本実施形態においては、ダイヤルロックのＯＮあるいはＯＦＦを示す表示や、生成された暗証コードの表示を行う。なお、サブ表示部１１への暗証コードの表示時間等はユーザによって予め設定可能である。
【００３２】
発音部２３は、図１に示すスピーカー１０に接続されており、本体制御部２７から出力される発音制御信号に基づいて、着信音、メール受信音、アラーム音、操作確認音、その他設定に応じた電子音等を発生させる。本実施形態では、暗証コード生成部２７Ｂにおいて生成された暗証コードを電子音によって表現する、所謂読み上げ機能を有しており、この読み上げ機能を実施するか否かはユーザによって予め選択された設定に基づくものとする。例えば、暗証コードが発音部２３によって報知される際、ユーザの近くに第三者が存在する虞がある場合には暗証コードを読み上げる機能を予めＯＦＦにしておいたり、ユーザのみが聞き取れる音量に設定しておくことも可能である。また、マナーモード時には、本体制御部２７によってこの機能が自動的にＯＦＦにされるよう制御されることが好ましい。
【００３３】
振動部１９は、本体制御部２７から制御信号が出力されたときに動作して携帯電話機１００を振動させる。例えば、着信、メールの受信、アラーム時刻などをユーザに報知する。
【００３４】
電子メール送信部２５は、暗証コード生成部２７Ｂにおいて生成された暗証コードを、ユーザによって予め設定されたメールアドレスに電子メールで送信する。送信先のメールアドレスは、本実施形態の携帯電話機１００専用のメールアドレスではなく、ユーザのプロフィールに登録された別の装置のメールアドレスであって、例えば、ユーザが保有するパーソナルコンピュータで用いている電子メールのアドレス等が挙げられる。
【００３５】
無線送受信部２１は、本体制御部２７による制御の下で、所定の通信方式（例えば、ＣＤＭＡ方式など）を用いて不図示の基地局との間で無線通信をアンテナ１２を介して行うものである。信号処理部２２は、図１に示すマイクロフォン６及びスピーカー１０に接続されており、本体制御部２７の制御の下で、無線送受信部２１から出力される受信信号に対して所定の処理を施してスピーカー１０に出力するとともに、マイクロフォン６から出力される音声信号に対して所定の処理を施して無線送受信部２１に出力する。
【００３６】
［携帯電話機の制御方法］
図３は本実施形態に係る携帯電話機の制御方法を示すフローチャートである。図３に示すフローチャートに従った処理は、携帯電話機の開閉操作が行われたときに開始される。
【００３７】
処理が開始されると、キーロック制御部２７Ａは携帯電話機１００が閉状態とされたか否かを判定する（ステップＳ１）。開閉検出センサ２４からの出力によって携帯電話機１００が閉状態とされたことを検出すると、次にダイヤルロック状態か否かを判定する（ステップＳ２）。この判断が「Ｙｅｓ」でダイヤルロック状態であった場合には、ダイヤルロックをそのまま継続すればよいため、処理を終了する。あるいは、ダイヤルロックを解除する工程へと移行する。
【００３８】
この判断結果が「Ｎｏ」で、携帯電話機１００がダイヤルロック状態でない場合には、キーロック制御部２７Ａがダイヤルロック処理の実施を決定し、ユーザによって予め選択された設定条件に基づいてダイヤルロック処理を実行する（ステップＳ３）。例えば、ユーザは、所定のメニュー画面からダイヤルロック機能の設定を選択して、携帯電話機１００を閉状態としてからダイヤルロック処理を実行するまでの時間や規制する機能（アプリケーション）などの選択を予め行っておく。
【００３９】
そして、このようなユーザの機能設定に応じてダイヤルロック処理がキーロック制御部２７Ａによって実行されると、次に、暗証コード生成部２７Ｂがダイヤルロック解除用の暗証コードを生成する（ステップＳ４）。暗証コード生成部２７Ｂは、複数の数字や記号をランダムに選択して数桁からなる暗証コードを生成する。暗証コード生成部２７Ｂは、ダイヤルロック処理が実行される度に異なる暗証コードを生成し、同じ暗証コードを連続して生成しないように設定されている。設定記憶部２０Ａに前回のダイヤルロック処理実行時に生成された暗証コードが格納されている場合には、その暗証コード（一度ダイヤルロック解除に使用された暗証コード）をクリアにして新しい暗証コードに書き換える。あるいは、設定記憶部２０Ａに格納された暗証コードを、ダイヤルロックの解除に一度使用された時点でクリアするように設定しておいてもよい。
【００４０】
また、本ステップにおいては、暗証コードを生成すると同時に、生成した暗証コードを表示制御信号として表示部２６へ出力し、サブ表示部１１に暗証コードを所定時間あるいは所定の間隔で表示を行う。このようにして、生成した暗証コードをユーザへ報知する。
【００４１】
次に、生成した暗証コードを、ユーザによって予め設定されたメールアドレスに電子メールで送信する。このとき、本体制御部２７は、設定記憶部２０Ａに格納されている暗証コードを読み出して電子メール送信部２５に出力し、電子メール送信部２５に暗証コードを示す内容の電子メールを送信させることにより、ダイヤルロック時に生成された暗証コードをユーザに報知する。電子メールの送信先のアドレスは、上記したように、ユーザによって予め設定されているアドレスであって、一つあるいは複数のメールアドレスを選択することも可能である。
【００４２】
［ダイヤルロック解除方法］
次に、ダイヤルロック機能の解除処理について説明する。
ユーザによって携帯電話機１００が開状態とされたことが検出されたときに（図３のステップＳ１）、当該携帯電話機１００がダイヤルロック中であった場合には（図３のステップＳ２）、ユーザからの暗証コードの入力操作を待つ。
【００４３】
ユーザは、記憶していた暗証コードを入力するか、携帯電話機１００以外の装置で使用しているメールアドレスに携帯電話機１００から送信された電子メールを読み出して、暗証コードを確認する。
【００４４】
そして、操作キー４からの入力操作によりコードが入力されると、キーロック制御部２７Ａは設定記憶部２０Ａに格納されている暗証コードと一致しているかどうかを判定し、入力された暗証コードが認証された場合にダイヤルロックを解除する。
【００４５】
なお、以上述べたフローチャートは制御実施例の一例であってこれに限ったものではない。
【００４６】
このようにして、本実施形態の携帯電話機１００は、ダイヤルロック処理を解除するための暗証コードを自動的に生成する。また、ダイヤルロック処理を実施する度に異なる暗証コードが生成されるため、第三者に暗証コードが漏れる可能性が低く、従来に比べてセキュリティー性が極めて向上したものとなる。例えば、暗証コードを入力するユーザの指の動きから第三者によって暗証コードが推察された場合でも、一度ダイヤルロックの解除に使用された暗証コードは、次に実行されたダイヤルロックの解除には使用することができないので、第三者による不正使用を防止することが可能となる。
また、本実施形態では、生成した暗証コードを他の装置のメールアドレスに送信することができるので、ユーザが暗証コードを忘れた場合でも解除用の暗証コードを確認することができる。このように、セキュリティー性が高くかつ利便性も向上した携帯電話機を提供することができる。
【００４７】
また、本実施形態における携帯電話機１００は、本体制御部２７による制御の下、無線送受信部２１を介してユーザからの暗証コードの問い合わせを受信することができるとともに、無線送受信部２１を介して設定記憶部２０Ａに格納されている暗証コードを出力することができる。本体制御部２７は、通話受信した相手が携帯電話機１００のユーザであることを確認するために、ユーザによって予め設定された問い合わせ専用の暗証番号の入力を通話相手に要求する。そして、キー入力部５において入力された暗証番号が正しいと判断した場合に、ダイヤルロック解除用の暗証コードを出力する。
【００４８】
これによれば、ユーザが、携帯電話機１００から上記電子メールが送信された装置の近くにいないために、電子メールでダイヤルロック解除用の暗証コードを直ぐに確認することができない場合（例えば、外出している場合）であっても、公衆電話などから携帯電話機１００に電話をかけて暗証コードを確認することができる。これにより、ユーザが外出先で暗証コードを忘れてしまった場合でも、迅速に対応することができるので便利である。
【００４９】
［第２実施形態］
図４は、本実施形態における携帯電話機の全体構成を説明する斜視図であって、図５は、本実施形態における携帯電話機の概略構成を示すブロック図である。
本実施形態における携帯電話機２００（電子情報装置）は、折畳式ではなく、ストレート型の携帯電話機であって、筐体２０１の表面に、ユーザによって操作される操作キー４を含むキー入力部５と、各種の情報を表示させる画面表示部９とが並設され、画面表示部９側の端部に受話用のスピーカー１０、キー入力部５側の端部に送話用のマイクロフォン６等が設けられている。
【００５０】
本実施形態のキー入力部５は、筐体２０１の側面に具備されたサイドキー２０２をさらに含む。該サイドキー２０２は、筐体２０１の長手方向に沿ってスライド可能とされており、地点Ａから地点Ｂまで移動するとともに常に地点Ａに戻るように構成されている。例えば、ユーザがサイドキー２０２を押圧しながら地点Ａから地点Ｂに向かって移動させた後に該サイドキー２０２から指を離すと、サイドキー２０２は不図示の付勢部材により加えられる付勢力によって地点Ａへと戻ることになる。
【００５１】
このサイドキー２０２は、携帯電話機１００のダイヤルロック処理の実行の許否を選択する機能を有し、ユーザの操作によってサイドキー２０２が地点Ｂへと移動させられる度にスイッチの「ＯＮ」、「ＯＦＦ」が切り替わる。このような設定の切り替えは、図５に示す本体制御部２７によって制御される。本体制御部２７は、キー入力部５からの出力によって、図４に示すサイドキー２０２がユーザによって操作されたことを検出するとともに、サイドキー２０２の「ＯＮ」または「ＯＦＦ」を切り替える。サイドキー２０２が「ＯＮ」の場合にはダイヤルロック処理の実行が許可され、「ＯＦＦ」の場合にはダイヤルロック処理が実行されないようになっている。
ユーザは、携帯電話機２００をダイヤルロックしたい場合にサイドキーを操作する。
【００５２】
なお、サイドキー２０２は、スライドタイプのものではなく、筐体２０１の内方へ移動可能とされた押圧タイプのキーであっても良い。この場合も、ユーザがキーの押圧を解除すると元に戻る構成であることが好ましい。
【００５３】
また、図５に示すように本実施形態の本体制御部２７には、携帯電話機本体２００Ａに加えられた所定の振動を検出する振動検出部２０３（第２検出部）が接続されている。この振動検出部２０３は、加速度センサなどを用いて構成され、振動部１９による振動以外の振動を検出するとともに、通常の使用時（メールを作成している場合など）に生じる振動や通常の待機時（携帯電話機２００をポケットなどに入れて歩行している場合など）に生じる振動以外の振動を検出する。具体的には、所定の周期又は所定の振幅よりも大きい振動を検出する。これはつまり、ユーザによって携帯電話機２００が故意に振られた場合の振動である。
【００５４】
使用する加速度センサとしては、３軸方向の加速度を検出するものが好ましい。これにより、ユーザが携帯電話機２００をいずれの方向に振っても加速度センサから有意な信号が出力されることになり、応答性が良いものとなる。
【００５５】
ユーザは、携帯電話機２００を使用した後にダイヤルロックする可能性がある場合、サイドキー２０２を常に「ＯＮ」状態にしておく。これにより、使用後、ダイヤルロックしたい時に携帯電話機本体２００Ａを振ることでダイヤルロックすることができる。
【００５６】
［携帯電話機の制御方法］
図６は本実施形態に係る携帯電話機の制御方法を示すフローチャートである。図６に示すフローチャートに沿った処理は、例えば携帯電話機のサイドキーがユーザによって操作されたときに実行される。
【００５７】
本体制御部２７が、振動検出部２０３からの出力によって、携帯電話機本体２００Ａの振動が、予め設定された所定の周期又は振幅以上の振動であることを検出する（「Ｙｅｓ」と判断する）と、携帯電話機本体２００Ａがユーザによって故意に振られたことを検知する（ステップＳ１１）。振動検出部２０３は、携帯電話機本体２００Ａが所定の周期又は所定の振幅以上で振動した場合に、その振動の検出信号を本体制御部２７に送信する。
【００５８】
本体制御部２７は、キー入力部５からの出力に応じてサイドキー２０２がユーザによって操作されたことを検出し、サイドキー２０２が「ＯＮ」であるか「ＯＦＦ」であるかを判断する（ステップＳ１２）。ここで、ダイヤルロック中でないときにサイドキー２０２の操作がなされると、上記ステップＳ１２において、本体制御部２７はサイドキー２０２が「ＯＮ」にされたと判断して、ダイヤルロック処理の実行がユーザにより許可されたものと見なす。また、サイドキー２０２が「ＯＮ」状態にあるときに再びユーザによってサイドキー２０２の操作が行われると、本体制御部２７はサイドキー２０２が「ＯＦＦ」にされたと判断してダイヤルロック処理の実行が拒否されたものと見なし、次にユーザによってサイドキー２０２の「ＯＮ」操作が行われるまで待機する。
【００５９】
そして、振動検出部２０３によって携帯電話機本体２００Ａの振動が検出されたときにサイドキー２０２が「ＯＮ」状態であった場合、本体制御部２７は携帯電話機２００がダイヤルロック中かどうかを判断する（ステップＳ１３）。そして、携帯電話機２００がダイヤルロック中でないことが確認されると（判断結果が「Ｎｏ」の場合）、キーロック制御部２７Ａがダイヤルロック処理を実行する（ステップＳ１４）。
【００６０】
また、ユーザによって携帯電話機本体２００Ａが振られたとしても、携帯電話機２００がダイヤルロック中であった場合（判断結果が「Ｙｅｓ」の場合）には処理を終了する（ステップＳ１３）。
【００６１】
キーロック制御部２７Ａによってダイヤルロック処理が実行されると（ステップＳ１４）、暗証コード生成部２７Ｂがダイヤルロック解除用の暗証コードを生成する（ステップＳ１５）。暗証コード生成部２７Ｂは、上記実施形態同様、複数の数字や記号をランダムに選択して数桁からなる暗証コードを生成するとともに、キーロック制御部２７Ａによってダイヤルロック処理が実行される度に異なる暗証コードを生成する。本実施形態においても、生成した暗証コードを表示制御信号として表示部２６へ出力し、サブ表示部１１に暗証コードを所定時間あるいは所定の間隔で表示を行う。
【００６２】
その後、本体制御部２７は、サイドキー２０２を「ＯＦＦ」に切り替える（ステップＳ１６）。これにより、一連の処理が終了する。
【００６３】
また、本実施形態においても、予め設定されたメールアドレスに暗証コードを電子メールで送信するようにしてもよい。
【００６４】
このように、携帯電話機２００がダイヤルロック中ではなく且つサイドキー２０２が「ＯＮ」状態のときに、ユーザによって携帯電話機本体２００Ａが振られたことを検出すると、本体制御部２７は、ダイヤルロック処理を実行するとともにダイヤルロック解除用の暗証コードを生成する。
【００６５】
なお、上述したフローチャートは制御実施例の一例であってこれに限ったものではない。
【００６６】
これにより、本実施形態においても上記実施形態同様の効果を得ることができる。すなわち、携帯電話機２００は、ダイヤルロック処理を実行する度に異なる暗証コードを自動的に生成するため、第三者による不正使用を防止することができる。また、本実施形態では、ユーザが携帯電話機本体２００Ａを振るだけでダイヤルロックを実行することができるので、ストレート型の携帯電話機２００であっても、キー入力部５によるわずらわしい操作を行うことなく容易にダイヤルロックすることができる。
【００６７】
以上、添付図面を参照しながら本発明に係る好適な実施形態について説明したが、本発明は係る例に限定されないことは言うまでもなく、上記各実施形態を組み合わせても良い。当業者であれば、特許請求の範囲に記載された技術的思想の範疇内において、各種の変更例または修正例に想到し得ることは明らかであり、それらについても当然に本発明の技術的範囲に属するものと了解される。
【００６８】
例えば、上記実施形態においては、暗証コード生成部２７Ｂにおいてランダムに選択された数字や記号によって数桁の暗証コードを生成するとしたが、予めユーザによって登録された複数の暗証コードのうちの一つを暗証コード生成部２７Ｂが適宜選択するようにしてもよい。複数の暗証コードは、ユーザが任意に選択した数字や記号からなるもので数桁から構成される。これら複数の暗証コードは設定記憶部２０Ａに格納され、ダイヤルロック処理が実行される度に、暗証コード生成部２７Ｂによって毎回異なる暗証コードが選択される。
【００６９】
これによれば、予めユーザによって用意された複数の暗証コードの中から、毎回一つの暗証コードを選択するので、選択された暗証コードをユーザが忘れてしまう確率を低くすることができる。
【００７０】
また、本実施形態では電子情報装置として、図１に示されるような折畳式の携帯電話機を例に挙げて説明したが、これに限らず、第１の筐体と第２の筐体とがヒンジで連結されて回動動作を行う回転型の携帯電話機、第１の筐体と第２の筐体とがハートカム機構などによってスライド動作を行うスライド型の携帯電話機などにも適用することが可能である。回転型の携帯電話機の場合、第１の筐体と第２の筐体とが厚さ方向で重なり合う状態を収納した閉状態とし、互いの重なり面に沿って一方の筐体が他方の筐体に対して一方向に回転した状態を展開した開状態とする。スライド型の携帯電話機の場合、第１の筐体と第２の筐体とが厚さ方向で重なり合う状態を収納した閉状態とし、互いの重なり面に沿って一方の筐体が他方の筐体に対してスライドした状態を展開した開状態とする。
また、筐体に対して蓋体が連結されたフリップタイプのものについても適用できる。
【００７１】
また、上記実施形態においては、キー入力部５における一部の入力操作を規制するとしたが、電話帳やメールの閲覧など一部の機能やアプリケーションのみを規制するようにしてもよい。
【００７２】
上記実施形態では、電子情報装置として携帯電話機を例に挙げて述べたが、ＰＨＳ（Personal Handy phone System）、ノート型パーソナルコンピュータ、ＰＤＡ（Personal Digital Assistants）、ゲーム機などにも応用することができる。
【図面の簡単な説明】
【００７３】
【図１】第１実施形態における携帯電話機の全体構成を説明する図であって、（ａ）は携帯電話機の利用時の状態（開状態）を示す斜視図、（ｂ）は収納時の状態（閉状態）を示す斜視図である。
【図２】第１実施形態における携帯電話機のブロック図である。
【図３】第１実施形態における携帯電話機の制御方法を示すフローチャートである。
【図４】第２実施形態における携帯電話機の全体構成を説明する斜視図である。
【図５】第２実施形態における携帯電話機のブロック図である。
【図６】第２実施形態における携帯電話機の制御方法を示すフローチャートである。
【符号の説明】
【００７４】
１００…第１実施形態の携帯電話機（電子情報装置）、１…第１筐体（本体部材）、２…第２筐体（本体部材）、１００Ａ…携帯電話機本体（電子情報装置本体）、５…キー入力部（入力操作部）、１２…アンテナ、１９…振動部、２０…メモリ、２０Ａ…設定記憶部（記憶部）、２１…無線送受信部（通信部）、２４…開閉検出センサ（第１検出部）、２５…電子メール送信部（出力手段）、２６…表示部（出力手段）、２３…発音部（出力手段）、２７…本体制御部、２７Ａ…キーロック制御部、２７Ｂ…暗証コード生成部（暗証コード生成手段）、２００…第２実施形態の携帯電話機、２００Ａ…第２実施形態の携帯電話機本体（電子情報装置本体）、２０３…振動検出部（第２検出部）
【図１】
2009159349.tif 000003
【図２】
2009159349.tif 000004
【図３】
2009159349.tif 000005
【図４】
2009159349.tif 000006
【図５】
2009159349.tif 000007
【図６】
2009159349.tif 000008